【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
移動ヘッドと、該移動ヘッドを制御回路に接続するための配線パターンを形成したフレキシブル接続部材とを備え、前記移動ヘッドが記録媒体上を移動して該記録媒体上に情報を記録又はその記録媒体に記録されている情報を読み取る再生の少なくとも一方を行なう走査型ヘッドにおいて、
前記フレキシブル接続部材は、その一方の側に設けたヘッド側電極で前記移動ヘッドとの接続を行なうと共に、該フレキシブル接続部材を前記移動ヘッドの側面から該移動ヘッドの記録媒体側の面に引き回して固定し、再度前記移動ヘッドの側面側に引き回して他方の側に設けた接続側電極を前記移動ヘッドの前記記録媒体側の面と反対側の面に導出させて前記制御回路に接続したことを特徴とする走査型ヘッド。
【請求項２】
前記フレキシブル接続部材は、両面に形成した配線パターンと、両面の前記配線パターンをつなぐスルーホールを有する両面フレキシブル接続部材であり、該両面フレキシブル接続部材のスルーホール形成領域を前記移動ヘッドの記録媒体側の面に固定したことを特徴とする請求項１記載の走査型ヘッド。
【請求項３】
前記スルーホール形成領域を、複数層重なり合うように折り返して前記移動ヘッドの記録媒体側の面に固定したことを特徴とする請求項２記載の走査型ヘッド。
【請求項４】
前記両面フレキシブル接続部材の前記スルーホール形成領域は、２層に折り返されて前記移動ヘッドに固定されていることを特徴とする請求項３記載の走査型ヘッド。
【請求項５】
前記スルーホール形成領域は、その領域内にスルーホールを形成していない領域が一部形成されていて、そのスルーホールが形成されていない領域部分で折り返されていることを特徴とする請求項３又は４記載の走査型ヘッド。
【請求項６】
前記移動ヘッドは、記録媒体に近い側から光学系とシャッタ部材と光源とを順次配設し、前記両面フレキシブル接続部材のヘッド側電極を前記シャッタ部材と光源とに接続すると共に、該両面フレキシブル接続部材を前記移動ヘッドの側面から該移動ヘッドの記録媒体側の面に引き回して前記スルーホール形成領域を複数層に折り返して前記記録媒体側の面に固定し、再度前記移動ヘッドの側面側に引き回して前記接続側電極側を前記移動ヘッドの前記記録媒体側の面と反対側の面側に導出させたことを特徴とする請求項２乃至５のいずれか一項に記載の走査型ヘッド。
【請求項７】
前記両面フレキシブル接続部材のスルーホール形成領域は、前記移動ヘッドに係止されたＵ字状のバネ体によって前記移動ヘッドの前記記録媒体側の面に固定されていることを特徴とする請求項２乃至６のいずれか一項に記載の走査型ヘッド。
【請求項８】
前記記録媒体は感光体であり、前記移動ヘッドは前記感光体に光を当てて該感光体を感光させて画像を形成する光学的記録ヘッドであることを特徴とする請求項１乃至７のいずれか一項に記載の走査型ヘッド。
【請求項９】
前記移動ヘッドは前記光学系と前記シャッタ部材を保持するフレーム体を有し、前記両面フレキシブル接続部材のスルーホール形成領域は、前記移動ヘッドのフレーム体に係止されたＵ字状のバネ体によって前記フレーム体の前記記録媒体側の面に固定されていることを特徴とする請求項６記載の走査型ヘッド。
【請求項１０】
前記Ｕ字型のバネ体によって前記フレーム体に係止される蓋体を設け、該蓋体が前記バネ体によって前記フレーム体に係止されることにより前記光源と前記シャッタ部材が前記フレーム体に押圧固定されることを特徴とする請求項９記載の走査型ヘッド。
【手続補正２】
【補正対象書類名】明細書
【補正対象項目名】０００５
【補正方法】変更
【補正の内容】
【０００５】
【課題を解決するための手段】
この発明は上記の目的を達成するため、移動ヘッドと、その移動ヘッドを制御回路に接続するための配線パターンを形成したフレキシブル接続部材とを備え、上記移動ヘッドが記録媒体上を移動して該記録媒体上に情報を記録又はその記録媒体に記録されている情報を読み取る再生の少なくとも一方を行なう走査型ヘッドにおいて、
上記フレキシブル接続部材は、その一方の側に設けたヘッド側電極で上記移動ヘッドとの接続を行なうと共に、該フレキシブル接続部材を上記移動ヘッドの側面からその移動ヘッドの記録媒体側の面に引き回して固定し、再度上記移動ヘッドの側面側に引き回して他方の側に設けた接続側電極を上記移動ヘッドの上記記録媒体側の面と反対側の面に導出させて前記制御回路に接続したものである。
【手続補正３】
【補正対象書類名】明細書
【補正対象項目名】０００６
【補正方法】変更
【補正の内容】
【０００６】
そして、上記フレキシブル接続部材は、両面に形成した配線パターンと、両面の前記配線パターンをつなぐスルーホールを有する両面フレキシブル接続部材であり、該両面フレキシブル接続部材のスルーホール形成領域を前記移動ヘッドの記録媒体側の面に固定されているようにするとよい。
また、上記スルーホール形成領域を、複数層重なり合うように折り返して前記移動ヘッドの記録媒体側の面に固定するとよい。
上記両面フレキシブル接続部材の上記スルーホール形成領域は、２層に折り返されて上記移動ヘッドに固定されるようにしてもよい。
また、上記スルーホール形成領域は、その領域内にスルーホールを形成していない領域が一部形成されていて、そのスルーホールが形成されていない領域部分で折り返されていてもよい。
上記移動ヘッドは、記録媒体に近い側から光学系とシャッタ部材と光源とを順次配設し、上記両面フレキシブル接続部材のヘッド側電極を上記シャッタ部材と光源とに接続すると共に、その両面フレキシブル接続部材を上記移動ヘッドの側面からその移動ヘッドの記録媒体側の面に引き回して上記スルーホール形成領域を複数層に折り返して上記記録媒体側の面に固定し、再度前記移動ヘッドの側面側に引き回して上記接続側電極側を上記移動ヘッドの上記記録媒体側の面と反対側の面側に導出させることができる。
また、上記両面フレキシブル接続部材のスルーホール形成領域は、上記移動ヘッドに係止されたＵ字状のバネ体によって上記移動ヘッドの上記記録媒体側の面に固定されれるようにしてもよい。
上記記録媒体は感光体であり、上記移動ヘッドはその感光体に光を当てて該感光体を感光させて画像を形成する光学的記録ヘッドであるとよい。
上記移動ヘッドは上記光学系と上記シャッタ部材を保持するフレーム体を有し、上記両面フレキシブル接続部材のスルーホール形成領域は、上記移動ヘッドのフレーム体に係止されたＵ字状のバネ体によって上記フレーム体の上記記録媒体側の面に固定されるようにしてもよい。
また、その走査型ヘッドにおいて、上記Ｕ字型のバネ体によって上記フレーム体に係止される蓋体を設け、その蓋体が上記バネ体によって上記フレーム体に係止されることにより上記光源と上記シャッタ部材が上記フレーム体に押圧固定されるようにするとよい。
【手続補正４】
【補正対象書類名】明細書
【補正対象項目名】０００８
【補正方法】変更
【補正の内容】
【０００８】
走査型ヘッド２は、移動ヘッド５と、その移動ヘッド５を図４の矢示Ａ方向に往復移動可能に支持する２本の丸棒状のガイド部材６，６と、詳しい説明は後述するが移動ヘッド５を制御基板３上の制御回路に接続するための多数の配線パターン１８（図５，図６参照）を両面に形成した両面フレキシブル接続部材７とを備えている。その両面の配線パターン１８，１８は、詳しい説明は図２を参照して後述するが、各スルーホール（貫通孔）２２を介してそこに設けた導電体部２３により互いに接続している。
そして、図３に示したように、この移動ヘッド５をガイド部材６，６に沿ってそのガイド部材６，６に対して両面フレキシブル接続部材７と反対側（図３で下側）に位置する記録媒体である印画紙８上を移動させてその印画紙８上に情報となる画像（潜像）を記録する。